(57)【要約】【課題】複数の化粧建築板を並べて設置する場合に隣り合う化粧建築板間に隙間が生じても、この隙間を目立たないようにすることができる化粧建築板を提供する。【解決手段】一端に凸部１、他端に受け部２を設けて形成される化粧建築板Ａであって、前記凸部１を他の化粧建築板Ａの受け部２に係合させて設置されるものに関する。前記凸部１と受け部２との係合部分のうち外部に露出する部分を、化粧建築板Ａの表面と同様に塗装する。【選択図】図１
2007198098.tif 000002
【特許請求の範囲】
【請求項１】
一端に凸部、他端に受け部を設けて形成される化粧建築板であって、前記凸部を他の化粧建築板の受け部に係合させて設置されるものにおいて、前記凸部と受け部との係合部分のうち外部に露出する部分を、化粧建築板の表面と同様に塗装して成ることを特徴とする化粧建築板。
【請求項２】
前記凸部と受け部との係合部分のうち外部に露出する部分を、化粧建築板の表面と同様の絵柄模様となるようにインクジェット塗装して成ることを特徴とする請求項１に記載の化粧建築板。
【発明の詳細な説明】
【技術分野】
【０００１】
本発明は、外壁材等の外装材として用いられる化粧建築板に関するものである。
【背景技術】
【０００２】
複数の化粧建築板を並べて設置する場合に隣り合う化粧建築板間の接続部分の柄ズレを目立たなくするようにした技術については既に知られている（例えば、特許文献１参照。）。
【０００３】
他方、隣り合う化粧建築板間に隙間が生じた場合にこの隙間を目立たなくするような技術については未だ十分には知られていない。例えば、化粧建築板Ａとしては、図５に示すように、一端に凸部１、他端に受け部２を設けて形成されるものが広く用いられているが、このような化粧建築板Ａを用いる場合には、隣り合う化粧建築板Ａ，Ａの一方の凸部１を他方の受け部２に係合させて、図５（ａ）のように隙間９を生じさせないようにする必要がある。
【特許文献１】特開２００５−２２６２６７号公報
【発明の開示】
【発明が解決しようとする課題】
【０００４】
しかし、図５（ｂ）のように隙間９が生じた場合には、この隙間９の内面が外部に露出してしまう。このとき、隙間９の内面の色が、化粧建築板Ａの表面に形成した塗膜７の色と異なっていると、隙間９が目立ち、見栄えが悪くなるものである。
【０００５】
本発明は上記の点に鑑みてなされたものであり、複数の化粧建築板を並べて設置する場合に隣り合う化粧建築板間に隙間が生じても、この隙間を目立たないようにすることができる化粧建築板を提供することを目的とするものである。
【課題を解決するための手段】
【０００６】
本発明の請求項１に係る化粧建築板は、一端に凸部１、他端に受け部２を設けて形成される化粧建築板Ａであって、前記凸部１を他の化粧建築板Ａの受け部２に係合させて設置されるものにおいて、前記凸部１と受け部２との係合部分のうち外部に露出する部分を、化粧建築板Ａの表面と同様に塗装して成ることを特徴とするものである。
【０００７】
請求項２に係る発明は、請求項１において、前記凸部１と受け部２との係合部分のうち外部に露出する部分を、化粧建築板Ａの表面と同様の絵柄模様となるようにインクジェット塗装して成ることを特徴とするものである。
【発明の効果】
【０００８】
本発明の請求項１に係る化粧建築板によれば、複数の化粧建築板を並べて設置する場合に隣り合う化粧建築板間に隙間が生じても、この隙間を目立たないようにすることができるものである。
【０００９】
請求項２に係る発明によれば、化粧建築板に複雑な絵柄模様を施す場合であっても、隣り合う化粧建築板間の隙間を目立たないようにすることができるものである。
【発明を実施するための最良の形態】
【００１０】
以下、本発明の実施の形態を説明する。
【００１１】
本発明において化粧建築板Ａは、図１〜図４に示すように、一端に凸部１、他端に受け部２を設けて形成されるものである。このような化粧建築板Ａは、例えば、矩形板状に成形した窯業系基材８の端部を加工することによって得ることができる。ここで、窯業系基材８は、無機質硬化体の原料となる水硬性膠着材に無機充填剤、繊維質材料等を配合し、成形した後に養生硬化させて作製されるものであり、水硬性膠着材としては、特に限定されるものではないが、例えば、ポルトランドセメント、高炉セメント、高炉スラグ、ケイ酸カルシウム、石膏等から選ばれたものの一種あるいは複数種を用いることができる。また、無機充填剤としては、フライアッシュ、ミクロシリカ、珪砂等を、繊維質材料としては、パルプ、合成繊維等の無機繊維や、スチールファイバー等の金属繊維を、それぞれ単独であるいは複数種併せて用いることができる。成形は押出成形や注型成形、抄造成形、プレス成形等の方法により行うことができ、成形の後、必要に応じてオートクレーブ養生、蒸気養生、常温養生を行って、窯業系基材８を作製することができる。このように作製される窯業系基材８の表面には、溶剤系、水溶性あるいはエマルション系のシーラーにより目止めを行うようにしてもよい。
【００１２】
次に、図１〜図４に示す化粧建築板Ａの一端に設けた凸部１、他端に設けた受け部２について説明する。
【００１３】
図１は、合じゃくりによって複数の化粧建築板Ａを並べて設置する場合の一例を示すものである。各化粧建築板Ａの一端においては、屋外側を板厚の略半分の厚みで切り欠くことによって、凸部１が設けられており、また、各化粧建築板Ａの他端においては、屋内側を板厚の略半分の厚みで切り欠くことによって、受け部２が設けられている。
【００１４】
また、図２も、合じゃくりによって複数の化粧建築板Ａを並べて設置する場合の一例を示すものであるが、化粧建築板Ａの表面と凸部１との間に斜面３が形成されており、また、化粧建築板Ａの表面と受け部２との間にも斜面４が形成されている。いずれの斜面３,４も屋外側に向いており、凸部１と受け部２との係合部分において断面略Ｖ字状の溝が形成される。
【００１５】
また、図３に示すものにおいては、各化粧建築板Ａの一端面に凸設した雄実部５で凸部１が設けられており、また、各化粧建築板Ａの他端面に凹設した雌実部６で受け部２が設けられている。
【００１６】
また、図４に示すものにおいては、各化粧建築板Ａの一端において屋外側を階段状に切り欠くことによって、階段状の凸部１が設けられており、また、各化粧建築板Ａの他端において屋内側を階段状に切り欠くことによって、階段状の受け部２が設けられている。
【００１７】
そして、図１〜図４に示すいずれの化粧建築板Ａであっても、凸部１を他の化粧建築板Ａの受け部２に係合させて設置することができるものであるが、本発明においては、図１〜図４に示すような凸部１と受け部２との係合部分のうち外部に露出するおそれのある部分を、あらかじめ化粧建築板Ａの表面と同様に塗装しておくものである。ここで、同様に塗装するとは、同色又は同系統の色の塗膜７を形成することを意味し、この塗膜７は、有機コーティング剤を窯業系基材８の表面に塗布しこれを乾燥硬化させることによって形成することができる。有機コーティング剤としては、特に限定されるものではないが、例えば、アクリルエマルション（ＡｃＥｍ）やアクリルシリコンエマルション（ＡｃＳｉＥｍ）等を展色剤として用い、これに各種顔料を分散させることによって調製した塗料を用いることができる。また、有機コーティング剤の塗布は、刷毛塗り方式、浸漬方式、スプレー塗布方式、ロールコート方式、ベル方式、フローコート方式、カーテンコート方式、ナイフコート方式等の各種方式で行うことができる。
【００１８】
図１においては、一方の化粧建築板Ａの表面からその凸部１の屋外側の面にかけて塗膜７が形成されていると共に、他方の化粧建築板Ａの表面からその端面にかけて塗膜７が形成されている。通常は図１（ａ）のように隣り合う化粧建築板Ａ，Ａ間に隙間９が生じないのが望ましいが、仮に図１（ｂ）のように隙間９が生じても、この隙間９の内面の色は、化粧建築板Ａの表面の色と同色又は同系統の色であるため、隙間９を目立たないようにすることができるものである。
【００１９】
また、図２においても、一方の化粧建築板Ａの表面からその凸部１の屋外側の面にかけて塗膜７が形成されていると共に、他方の化粧建築板Ａの表面からその端面（斜面４）にかけて塗膜７が形成されている。この場合は図２（ａ）のように隣り合う化粧建築板Ａ，Ａ間に略Ｖ字状の溝が形成されるのが望ましいが、仮に図２（ｂ）のように対向する斜面３，４同士が離間しても、この離間によって生じた溝底面１０の色は、化粧建築板Ａの表面の色と同色又は同系統の色であるため、前記溝底面１０を目立たないようにすることができるものである。
【００２０】
また、図３においても、一方の化粧建築板Ａの表面からその凸部１（雄実部５）の屋外側の面にかけて塗膜７が形成されていると共に、他方の化粧建築板Ａの表面からその端面にかけて塗膜７が形成されている。通常は図３（ａ）のように隣り合う化粧建築板Ａ，Ａ間に隙間９が生じないのが望ましいが、仮に図３（ｂ）のように隙間９が生じても、この隙間９の内面の色は、化粧建築板Ａの表面の色と同色又は同系統の色であるため、隙間９を目立たないようにすることができるものである。
【００２１】
また、図４においても、一方の化粧建築板Ａの表面からその凸部１の屋外側の面にかけて塗膜７が形成されていると共に、他方の化粧建築板Ａの表面からその端面にかけて塗膜７が形成されている。特にこの場合は、凸部１が階段状であり、屋外側に最も近い段部１１が外部に露出する可能性が高いので、この段部１１のみに塗膜７を形成し、他の段部１２には塗膜７を形成しないようにしてある。これにより、塗料を少しでも節約することができるものである。そして、通常は図４（ａ）のように隣り合う化粧建築板Ａ，Ａ間に隙間９が生じないのが望ましいが、仮に図４（ｂ）のように隙間９が生じても、この隙間９の内面の色は、化粧建築板Ａの表面の色と同色又は同系統の色であるため、隙間９を目立たないようにすることができるものである。
【００２２】
なお、化粧建築板Ａの塗膜７の色と同じ色の塗料を後から隙間９の内面に塗装することも考えられるが、これでは工程が増えて非効率的であり、また、隙間９の間隔によっては、後からの塗装が困難な場合も考えられる。よって、本発明においては、凸部１と受け部２との係合部分のうち外部に露出するおそれのある部分を、あらかじめ化粧建築板Ａの表面と同様に塗装しておくものである。
【００２３】
ところで、近年においては、消費者の多様なニーズに応えるべく、インクジェット塗装によって複雑な絵柄模様を施した化粧建築板Ａが提供されているが、従来は、絵柄模様を構成する塗膜７が形成された化粧建築板Ａを並べて設置する場合に、図５（ｂ）のように隙間９が生じると、この隙間９が目立ち、見栄えが悪くなるものであった。この場合、化粧建築板Ａの表面に施された絵柄模様と同様の絵柄模様が隙間９の内面には施されていないからである。しかも、複雑な絵柄模様はインクジェット塗装以外の方法では施すのが困難であり、また、通常生じる隙間９の間隔は狭いため、後からピンポイントで隙間９の内面に絵柄模様を施すのも困難である。しかし、凸部１と受け部２との係合部分のうち外部に露出するおそれのある部分を、あらかじめ化粧建築板Ａの表面と同様の絵柄模様となるようにインクジェット塗装しておくと、上述した問題を解決することができる。
【００２４】
すなわち、図１においては、一方の化粧建築板Ａの表面からその凸部１の屋外側の面にかけて、絵柄模様を構成する塗膜７が形成されていると共に、他方の化粧建築板Ａの表面からその端面にかけて、前記と同様の絵柄模様を構成する塗膜７が形成されている。通常は図１（ａ）のように隣り合う化粧建築板Ａ，Ａ間に隙間９が生じないのが望ましいが、仮に図１（ｂ）のように隙間９が生じても、この隙間９の内面には、化粧建築板Ａの表面と同様の絵柄模様が施されているため、隙間９を目立たないようにすることができるものである。
【００２５】
また、図２においても、一方の化粧建築板Ａの表面からその凸部１の屋外側の面にかけて、絵柄模様を構成する塗膜７が形成されていると共に、他方の化粧建築板Ａの表面からその端面（斜面４）にかけて、前記と同様の絵柄模様を構成する塗膜７が形成されている。この場合は図２（ａ）のように隣り合う化粧建築板Ａ，Ａ間に略Ｖ字状の溝が形成されるのが望ましいが、仮に図２（ｂ）のように対向する斜面３，４同士が離間しても、この離間によって生じた溝底面１０には、化粧建築板Ａの表面と同様の絵柄模様が施されているため、前記溝底面１０を目立たないようにすることができるものである。
【００２６】
また、図３においても、一方の化粧建築板Ａの表面からその凸部１（雄実部５）の屋外側の面にかけて、絵柄模様を構成する塗膜７が形成されていると共に、他方の化粧建築板Ａの表面からその端面にかけて、前記と同様の絵柄模様を構成する塗膜７が形成されている。通常は図３（ａ）のように隣り合う化粧建築板Ａ，Ａ間に隙間９が生じないのが望ましいが、仮に図３（ｂ）のように隙間９が生じても、この隙間９の内面には、化粧建築板Ａの表面と同様の絵柄模様が施されているため、隙間９を目立たないようにすることができるものである。
【００２７】
また、図４においても、一方の化粧建築板Ａの表面からその凸部１の屋外側の面にかけて、絵柄模様を構成する塗膜７が形成されていると共に、他方の化粧建築板Ａの表面からその端面にかけて、前記と同様の絵柄模様を構成する塗膜７が形成されている。特にこの場合は、凸部１が階段状であり、屋外側に最も近い段部１１が外部に露出する可能性が高いので、この段部１１のみに塗膜７を形成し、他の段部１２には塗膜７を形成しないようにしてある。これにより、インクジェット塗装に用いられる塗料を少しでも節約することができるものである。そして、通常は図４（ａ）のように隣り合う化粧建築板Ａ，Ａ間に隙間９が生じないのが望ましいが、仮に図４（ｂ）のように隙間９が生じても、この隙間９の内面には、化粧建築板Ａの表面と同様の絵柄模様が施されているため、隙間９を目立たないようにすることができるものである。
【図面の簡単な説明】
【００２８】
【図１】本発明の実施の形態の一例を示すものであり、（ａ）（ｂ）は断面図である。
【図２】本発明の実施の形態の他の一例を示すものであり、（ａ）（ｂ）は断面図である。
【図３】本発明の実施の形態の他の一例を示すものであり、（ａ）（ｂ）は断面図である。
【図４】本発明の実施の形態の他の一例を示すものであり、（ａ）（ｂ）は断面図である。
【図５】従来技術の一例を示すものであり、（ａ）（ｂ）は断面図である。
【符号の説明】
【００２９】
Ａ  化粧建築板
１  凸部
２  受け部
【図１】
2007198098.tif 000003
【図２】
2007198098.tif 000004
【図３】
2007198098.tif 000005
【図４】
2007198098.tif 000006
【図５】
2007198098.tif 000007